(57)【要約】【課題】毛髪等の梳き出し能力及び梳き出された毛髪等の回収効率を向上させた電気掃除機用ノズルを提供すること。【解決手段】底面部１４に吸込口１７を有するノズル本体２と、前記吸込口１７と連通する接続管部３と、前記ノズル本体２の底面部１４から下方に突出する複数の突起２６，２７からなる突起群４とを有する電気掃除機用ノズル１において、前記ノズル本体２を構成する基部７の底面部１４に、下方に凸となる凸曲面部１５を設けると共に、この凸曲面部１５の下端部１６に前記吸込口１７を設けたことで、前記ノズル１を絨毯Ｃ等に沿って動かした際に、進行方向Ｄの前側が高くなるように前記ノズル本体２が傾斜したとしても、前記吸込口１７から絨毯Ｃ等までの距離が適正に保たれるので、前記突起群４によって梳き出された毛髪等を効率的に回収することができる。【選択図】図４
2012152300.tif 000002
【特許請求の範囲】
【請求項１】
底面部に吸込口を有するノズル本体と、
前記吸込口と連通する接続管部と、
前記ノズル本体の底面部から下方に突出する複数の突起からなる突起群とを有する電気掃除機用ノズルにおいて、
前記ノズル本体の底面部に、下方に凸となる凸曲面部を設けると共に、
この凸曲面部の下端部に前記吸込口を設けたことを特徴とする電気掃除機用ノズル。
【請求項２】
前記突起群が、前記吸込口に沿って設けられた短突起から成る近突起列と、この近突起列を挟んで前記吸込口の反対側に並べて設けられた長突起から成る遠突起列とを有して構成されると共に、
前記近突起列を前記凸曲面部に設けたことを特徴とする請求項１記載の電気掃除機用ノズル。
【請求項３】
前記突起群を構成する各突起を、それらの軸線の基端側よりも先端側が前記吸込口から離れるように傾斜させて設けたことを特徴とする請求項２記載の電気掃除機用ノズル。
【発明の詳細な説明】
【技術分野】
【０００１】
本発明は、電気掃除機のノズルに関するものであり、特に、毛髪等を吸引するのに適した電気掃除機のノズルに関するものである。
【背景技術】
【０００２】
従来、この種の電気掃除機用ノズルとしては、真空掃除機の吸引管に対して着脱自在となるように構成されると共に、吸込口に沿う位置に、被清掃物の毛を梳くための間隔を保って並設した複数の梳歯を有する櫛状部（本願発明の突起群に相当する）を備えた吸込み具が知られている（例えば、特許文献１参照。）。この吸込み具は、絨毯等の被清掃物に櫛状部を押し当てて前後動させ、梳歯で被清掃物の毛を梳くようにしながら吸引することで、被清掃物の内部深くにあった塵埃を表面まで梳き出して、この梳き出された塵埃を吸込口から吸い込むことができる。
【先行技術文献】
【特許文献】
【０００３】
【特許文献１】実公平７−１１７３４号公報
【発明の概要】
【発明が解決しようとする課題】
【０００４】
しかしながら、このような電気掃除機用ノズルの突起群は、絨毯等を梳くために、硬い材質によって構成されていた。従って、突起群を絨毯や毛布等に強く押し付けることで、絨毯や毛布等を傷める虞があった。このような問題を回避するために、本出願人は、突起群を構成する各突起をエラストマー等の可撓性を有する材質によって錐状に構成したものを出願した。そして、このような構造の電気掃除機用ノズルは、ノズルの進行方向を基準として、吸込口よりも後方に設けられた各突起によって梳き出された毛髪等を、これらの突起よりも進行方向前方に設けられた前記吸込口から吸引するように構成されていた。
【０００５】
しかしながら、使用者がノズルを絨毯等の上で自然に動かすと、ノズル本体は、進行方向を基準として、前側が高く、後側が低くなるように傾斜する。この状態では、前記吸込口から絨毯等までの距離が大きくなるので、前記吸込口に至るまでの気流の流速が遅くなる。このため、従来のノズルを出力の小さな電気掃除機に取り付けて使用する場合、前記突起群によって梳き出された毛髪等の回収率の向上に改善の余地があった。更に、従来のノズルでは、複数種類の長さの異なる突起を設けることで、絨毯等の表層から深層までの広い範囲から効率よく毛髪等を梳き出すことを狙ったが、前述したようにノズル本体が傾斜すると、絨毯等の種類によっては、短い突起が殆ど作用しない場合も起こり得る。このため、毛髪等の梳き出し能力の向上にも、改善の余地があった。
【０００６】
本発明は以上の問題点を解決し、毛髪等の梳き出し能力及び梳き出された毛髪等の回収効率を向上させた電気掃除機用ノズルを提供することを目的とする。
【課題を解決するための手段】
【０００７】
本発明の請求項１に記載の電気掃除機用ノズルは、底面部に吸込口を有するノズル本体と、前記吸込口と連通する接続管部と、前記ノズル本体の底面部から下方に突出する複数の突起からなる突起群とを有する電気掃除機用ノズルにおいて、前記ノズル本体の底面部に、下方に凸となる凸曲面部を設けると共に、この凸曲面部の下端部に前記吸込口を設けたものである。
【０００８】
また、本発明の請求項２に記載の電気掃除機用ノズルは、請求項１において、前記突起群が、前記吸込口に沿って設けられた短突起から成る近突起列と、この近突起列を挟んで前記吸込口の反対側に並べて設けられた長突起から成る遠突起列とを有して構成されると共に、前記近突起列を前記凸曲面部に設けたものである。
【０００９】
更に、本発明の請求項３に記載の電気掃除機用ノズルは、請求項２において、前記突起群を構成する各突起を、それらの軸線の基端側よりも先端側が前記吸込口から離れるように傾斜させて設けたものである。
【発明の効果】
【００１０】
本発明の請求項１に記載の電気掃除機用ノズルは、以上のように構成することにより、ノズルを絨毯等に沿って動かした際に、進行方向前側が高くなるように前記ノズル本体が傾斜したとしても、前記吸込口から絨毯等までの距離が適正に保たれるので、前記突起群によって梳き出された毛髪等を効率的に回収することができる。
【００１１】
なお、前記突起群を、前記吸込口に沿って設けられた短突起から成る近突起列と、この近突起列を挟んで前記吸込口の反対側に並べて設けられた長突起から成る遠突起列とで構成すると共に、前記近突起列を前記凸曲面部に設けることで、進行方向前側が高くなるように、前記ノズル本体が傾斜しても、前記近突起列と遠突起列の両方が絨毯等の毛並みに入り込んで、毛髪等を梳き出す作用を奏することができる。
【００１２】
更に、前記突起群を構成する各突起を、それらの軸線の基端側よりも先端側が前記吸込口から離れるように傾斜させたことで、進行方向前側が高くなるように、前記ノズル本体が傾斜したとしても、前記突起群が絨毯等から受ける抵抗が小さくなり、軽い操作力で絨毯等から毛髪等を梳き出すことができる。
【図面の簡単な説明】
【００１３】
【図１】本発明の第一の実施形態を示す電気掃除機用ノズルの正面図である。
【図２】同、底面図である。
【図３】同、側面図である。
【図４】同、Ａ−Ａ断面図である。
【図５】同、使用状態におけるＡ−Ａ断面図である。
【図６】本発明の第二の実施形態を示す電気掃除機用ノズルの正面図である。
【図７】同、側面図である。
【図８】同、Ｂ−Ｂ断面図である。
【図９】同、使用状態におけるＢ−Ｂ断面図である。
【図１０】本発明との比較例を示す電気掃除機用ノズルの断面図である。
【図１１】同、使用状態における断面図である。
【発明を実施するための形態】
【００１４】
以下、本発明の第一の実施形態について、図１乃至図５に基づいて説明する。また、比較例として、図１０及び図１１を用いて説明する。なお、比較例である図１０及び図１１は、本発明を実施したものではない。
【００１５】
１は本発明の電気掃除機用ノズルであり、図示しない掃除機本体に接続される。前記ノズル１は、ノズル本体２と、接続管部３と、突起群４とで構成される。前記ノズル本体２は、平面視で横長の方形状である。そして、このノズル本体２は、上本体５と、下本体６と、基部７とを有して構成される。そして、前記上本体５と接続管部３は、一体に形成される。また、前記基部７は、前記突起群４と一体に形成され、これらによって突起部材８が構成される。更に、前記下本体６と突起部材８は、インサート成型によって一体的に形成される。そして、前記下本体６は、その底面部９の中央部に、下方に凸となる凸部１０を有する。また、この凸部１０は、その下端部１１に横長の吸込口１２を有する。更に、前記吸込口１２の中央には、連通口１３が設けられる。そして、前記基部７は、その底面部１４の中央部に、下方に凸となる凸曲面部１５を有する。また、この凸曲面部１５は、その下端部１６に、前記吸込口１２に対応して吸込口１７を有する。なお、前記凸曲面部１５は、側面視でほぼ円弧状となるように突出する。
【００１６】
前記接続管部３は、両端が開放した中空管状に形成される。この接続管部３は、前記上本体５から直立するように設けられる基管１８と、後方に倒れた状態で設けられる接続管１９と、これら基管１８と接続管１９とを繋ぐ屈曲部２０とを有して構成される。なお、前記基管１８は、ごく短く形成される。また、前記基管１８を設けず、前記屈曲部２０を前記上本体５に接続するようにしてもよい。そして、前記基管１８は、前記上本体５を下本体６に固定した際に、前記連通口１３に接続される。これによって、前記接続管部３は前記吸込口１２，１７と連通する。また、前記接続管１９は、図示しない掃除機本体に接続されるように、先端側がやや細くなるように形成される。更に、前記屈曲部２０は、その凸側、即ち前側に、平面状の指当て部２１が形成される。なお、この指当て部２１は、斜め前上方を向くように形成される。また、前記指当て部２１は、前記ノズル本体２から直立するように設けられた前記基管１８の上端に設けられた屈曲部２０の凸側に設けられるので、前記ノズル本体２の直上に位置する。更に、前記基管１８がごく短く形成されるので、前記指当て部２１は、前記ノズル本体２の近くに位置する。
【００１７】
前記突起群４は、前記ノズル本体２を構成する前記基部７の底面部１４から下方に突出して設けられる。そして、前記突起群４は、一対の近突起列２２，２３と、一対の遠突起列２４，２５とから構成される。前記各近突起列２２，２３は、それぞれ前記吸込口１７に沿って短突起２６を並べることで構成される。また、前記近突起列２２は前記吸込口１７の前側に、前記近突起列２３は前記吸込口１７の後側に、それぞれ設けられる。また、前記各近突起列２２，２３は、それぞれ、右部２２Ｒ，２３Ｒと左部２２Ｌ，２３Ｌとから成る。そして、前記近突起列２２の右部２２Ｒと左部２２Ｌは、同一直線上に並ぶ。同様に、前記近突起列２３の右部２３Ｒと左部２３Ｌも、同一直線上に並ぶ。そして、前記各近突起列２２，２３は、それぞれ前記基部７の凸曲面部１５に設けられる。更に、前記近突起列２２を構成する短突起２６は、その中心軸線Ｘａの先端側が基端側よりも前方となるように、傾斜して設けられる。また、前記近突起列２３を構成する短突起２６は、その中心軸線Ｘｂの先端側が基端側よりも後方となるように、傾斜して設けられる。即ち、何れの短突起２６も、それらの中心軸線Ｘａ，Ｘｂの先端側が基端側よりも前記吸込口１２，１７から離れるように、傾斜して設けられる。一方、前記各遠突起列２４，２５は、それぞれ前記近突起列２２，２３を挟んで前記吸込口１２，１７の反対側に、長突起２７を並べることで構成される。また、前記遠突起列２４は、前記近突起列２２の前側に、前記遠突起列２５は、前記近突起列２３の後側に、それぞれ設けられる。そして、前記各遠突起列２４，２５は、それぞれ、前記基部７の底面部１４における前記凸曲面部１５と平坦な外周部２８との境界部に設けられる。更に、前記遠突起列２４を構成する長突起２７は、その中心軸線Ｘｃの先端側が基端側よりも前方となるように傾斜して設けられる。また、前記遠突起列２５を構成する長突起２７は、その中心軸線Ｘｄの先端側が基端側よりも後方となるように傾斜して設けられる。即ち、何れの長突起２７も、それらの中心軸線Ｘｃ，Ｘｄの先端側が基端側よりも前記吸込口１２，１７から離れるように、傾斜して設けられる。なお、前記各短突起２６の中心軸線Ｘａ，Ｘｂの傾斜角度は、傾く方向が正反対となるだけで、値は同じである。同様に、前記各長突起２７の中心軸線Ｘｃ，Ｘｄの傾斜角度も、傾く方向が正反対となるだけで、値は同じである。また、前記各短突起２６の中心軸線Ｘａ，Ｘｂの傾斜角度は、前記各長突起２７の中心軸線Ｘｃ，Ｘｄの傾斜角度よりも小さい。更に、前記各長突起２７の先端は、前記各短突起２６の先端と同じか、又は前記各短突起２６の先端よりもやや下方となる。
【００１８】
なお、比較例についても説明する。前述した通り、この比較例は、本発明を実施したものではない。比較例のノズル１０１も、ノズル本体１０２と、接続管部１０３と、突起群１０４とを有して構成される。また、前記ノズル本体１０２も、上本体１０５と、下本体１０６と、基部１０７とを有して構成される。また、前記突起群１０４も、複数の短突起１２６から成る近突起列１２２，１２３と、複数の長突起列１２７から成る遠突起列１２４，１２５とを有して構成される。更に、前記基部１０７と突起群１０４とで、突起部材１０８が構成される点も共通する。そして、比較例の前記各突起１２６，１２７の数、材質、大きさ及び形状は、本実施形態の各突起２６，２７の数、材質、大きさ及び形状と同じである。本実施形態と比較例との相違点は、以下の通りである。本実施形態の前記ノズル１は、前記ノズル本体２の基部７に前記凸曲面部１５が形成されるのに対し、比較例の前記ノズル１０１は、前記ノズル本体１０２の基部１０７が平坦である。また、本実施形態は、前記突起群４を構成する前記各突起２６，２７が傾斜して設けられるのに対し、比較例は、前記各突起１２６，１２７が垂直に設けられる。更に、本実施形態は、前記吸込口１２が前記下本体６の凸部１０に、前記吸込口１７が前記基部７の凸曲面部１５に形成されるのに対し、比較例は、吸込口１１２が下本体１０６の平坦な底面部１０９に、吸込口１１７が前記基部１０７の平坦な底面部１１４に形成される。
【００１９】
次に、本実施形態の作用について説明する。なお、以下の説明において、毛髪等とは、人の体毛ばかりでなく、ペットの体毛も含む。まず使用者は、前記接続管部３の接続管１９を、図示しない前記掃除機本体に接続した後、この掃除機本体を作動させる。そして、使用者は、前記接続管部３を把持し、前記ノズル本体２の後方が高く、前方が低くなるように前記ノズル１を傾斜させて、前記吸込口１２，１７の前側に設けられた近突起列２２及び遠突起列２４を絨毯Ｃ等に押し当てた後、この絨毯Ｃ等に沿って前記ノズル１を進行方向Ｄ（この場合、後方向）に移動させる。即ち、この場合、前記近突起列２２及び遠突起列２４は、進行方向Ｄを基準として、前記吸込口１２，１７の後側となる。そして、この際、前記遠突起列２４を構成する長突起２７が、前記近突起列２２を構成する短突起２６よりも強く絨毯Ｃ等に押し付けられるので、前記長突起２７は、進行方向Ｄに対して遅れる方向に大きく変形する。一方、前記短突起２６は、進行方向Ｄに対して遅れる方向に小さく変形する。このように、大きく変形した長突起２７と、小さく変形した短突起２６とで、絨毯Ｃ等の毛並みに潜んだ毛髪等が、前記各突起２６，２７の進行方向Ｄの前側、即ち前記吸込口１２，１７側に梳き出される。そして、前記各突起２６，２７によって梳き出された毛髪等は、前記基部７と絨毯Ｃ等の間を通った気流に乗り、前記各突起２６，２７の進行方向Ｄの前側に位置する前記吸込口１２，１７から、前記連通口１３及び接続管部３を経由して、図示しない前記掃除機本体に吸引される。
【００２０】
なお、使用者によっては、進行方向が前方向である方が扱いやすい場合もあり得る。また、清掃箇所によって、進行方向を前方向とせざるを得ない場合もあり得る。この場合、使用者は、前記接続管部３を把持し、前記ノズル本体２の後方が低く、前方が高くなるように前記ノズル１を傾斜させて、前記吸込口１２，１７の後側に設けられた近突起列２３及び遠突起列２５を絨毯Ｃ等に押し当てた後、この絨毯Ｃ等に沿って前記ノズル１を進行方向（この場合、前方向）に移動させる。即ち、この場合、前記近突起列２３及び遠突起列２５は、進行方向を基準として前記吸込口１２，１７の後側となる。そして、この際、前記遠突起列２５を構成する長突起２７が、前記近突起列２３を構成する短突起２６よりも強く絨毯Ｃ等に押し付けられるので、前記長突起２７は、進行方向に対して遅れる方向に大きく変形する。一方、前記短突起２６は、進行方向に対して遅れる方向に小さく変形する。このように、大きく変形した長突起２７と、小さく変形した短突起２６とで、絨毯Ｃ等の毛並みに潜んだ毛髪等が、前記各突起２６，２７の進行方向の前側、即ち前記吸込口１２，１７側に梳き出される。そして、前記各突起２６，２７によって梳き出された毛髪等は、前記基部７と絨毯Ｃ等の間を通った気流に乗り、前記各突起２６，２７の進行方向の前側に位置する前記吸込口１２，１７から、前記連通口１３及び接続管部３を経由して、図示しない前記掃除機本体に吸引される。
【００２１】
また、前記ノズル１は、前記接続管部３でなく、図示しない掃除機本体側の接続管を把持して操作してもよく、また、図示しない掃除機本体に設けられた把持部を把持して操作してもよい。
【００２２】
この作用について、本実施形態と比較例とを比較する。なお、本実施形態と比較例は、前記長突起２７，１２７の変形量が同じになるように、即ち、同じ力で絨毯Ｃ等に押し付けるようにすると共に、前記ノズル本体２，１０２の傾斜角度も同じになるようにする。本実施形態は、前述した通り、前記吸込口１７が、前記ノズル本体２を構成する基部７の凸曲面部１５の下端部１６に設けられるので、前記吸込口１７から絨毯Ｃ等までの距離を比較的小さくすることができる。特に、前記凸曲面部１５が、側面視で円弧状となるように構成されるので、図５に示すように前記ノズル本体２を傾斜させた場合でも、前記吸込口１７の後部がやや高くなるものの、前記吸込口１７の前端から中央部にかけての広い範囲で、前記吸込口１７から絨毯Ｃ等までの距離をほぼ均等に比較的小さくすることができる。これによって、前記基部７と絨毯Ｃ等との間を通過する気流の流速が低下しないようにすることができるので、梳き出された毛髪等を前記吸込口１７から前記吸込口１２を経由して確実に吸引することができる。このため、前記ノズル１を比較的出力の小さな掃除機本体に接続したとしても、梳き出された毛髪等を効率的に回収することができる。また、前述したように、前記凸曲面部１５が、側面視で円弧状となるように構成されるので、前記ノズル１を引く際に、その傾斜角度が変動しても、前記吸込口１７から絨毯Ｃ等までの距離の変動が少ないので、この距離を適正に保つことができる。また、前記短突起２６の先端が、比較的下方に位置するので、前記短突起２６と長突起２７の両方で、絨毯Ｃ等に潜んだ毛髪等を梳き出すことができる。この際、前記長突起２７が大きく撓み、前記短突起２６が小さく撓むことで、これら長突起２７と短突起２６の角度を違わせることができるので、より効果的に絨毯Ｃ等から毛髪等を梳き出すことができる。更に、前記近突起列２２を構成する短突起２６と、前記遠突起列２４を構成する長突起２７が、進行方向Ｄに対して遅れる方向に傾斜するので、前記突起群４が絨毯Ｃ等から受ける抵抗を小さくすることができる。これによって、軽い操作力で、絨毯Ｃ等に潜んだ毛髪等を梳き出すことができる。
【００２３】
これに対し、比較例は、前述した通り、前記吸込口１１７が、前記基部１０７の平坦な底面部１１４に設けられるので、前記吸込口１１７から絨毯Ｃ等までの距離が比較的大きくなる。特に、図１１に示すように前記ノズル本体１０２を傾斜させた場合、前記吸込口１１７は、後部に向かうに従って高くなる。このため、前記基部１０７と絨毯Ｃ等との間を通過する気流の流速が低下してしまうので、前記ノズル１０１を比較的出力の小さな掃除機本体に接続した場合、梳き出された毛髪等を前記吸込口１１７から前記吸込口１１２を経由して確実に吸引して回収することができない虞がある。更に、前述したように、前記吸込口１１７が、前記基部１０７の平坦な底面部１１４に設けられるので、前記ノズル１０１を引く際に、その傾斜角度が変動すると、前記吸込口１１７から絨毯Ｃ等までの距離の変動が大きく、この距離を適正に保つことができない。また、前記短突起１２６の先端が比較的上方に位置するので、前記ノズル本体１０２の傾斜角度によっては、前記短突起１２６が絨毯Ｃ等と接しない場合があり得る。この場合、前記短突起１２６は毛髪等を梳き出すことがないので、梳き出し能力が低下する虞がある。更に、前記長突起１２７が、前記基部１０７に対し直立して設けられるため、前記ノズル本体１０２を図１１に示すように傾斜させると、前記長突起１２７は、進行方向Ｄに対し進む方向に傾斜する。図１１に示すように、前記長突起１２７が進行方向Ｄに対して遅れる方向に撓んだとしても、この長突起１２７の基端側における中心軸線の方向が、進行方向Ｄに対して進む方向に傾斜したままなので、突起群１０４が絨毯Ｃ等から受ける抵抗は大きくなる。従って、前記ノズル１０１の操作力は重くなる。
【００２４】
なお、本実施形態は、前記接続管部３を握る際、使用者の指Ｆ（人差し指又は親指）の指腹を、前記屈曲部２０の凸側に設けられた平面状の前記指当て部２１に押し当てることで、前記指当て部２１に押し当てた指Ｆに安定して力を加えやすい。この結果、絨毯Ｃ等に沿って進行方向Ｄに引くように前記ノズル１を動かす際に、容易に前記ノズル１を引くことができる。また、前記指当て部２１が前記ノズル本体２の直上に設けられることで、前記指当て部２１に加えた力を安定して効率的に前記各突起２６，２７に伝えることができる。この結果、軽い力で前記突起群４を絨毯Ｃ等に安定して押し当てることができるので、より容易に前記ノズル１を引くことができる。なお、前記指当て部２１が前記屈曲部２０の凸側、即ち前側に設けられることで、図５に示すように前記ノズル本体２を傾斜させた場合、絨毯Ｃ等と接する前記各突起列２２，２４と前記指当て部２１との進行方向Ｄのズレが小さくなるので、より効率的に、前記指当て部２１に加えた力を前記各突起列２２，２４に伝えることができる。更に、前記基管１８をごく短く形成したことで、前記指当て部２１と突起群４との距離を短くできるので、この突起群４をより安定して絨毯Ｃ等に押し当て、引くことができる。
【００２５】
以上のように、本発明は、底面部１４に吸込口１７を有するノズル本体２と、前記吸込口１７と連通する接続管部３と、前記ノズル本体２の底面部１４から下方に突出する複数の突起２６，２７からなる突起群４とを有する電気掃除機用ノズル１において、前記ノズル本体２を構成する基部７の底面部１４に、下方に凸となる凸曲面部１５を設けると共に、この凸曲面部１５の下端部１６に前記吸込口１７を設けたことで、前記ノズル１を絨毯Ｃ等に沿って動かした際に、進行方向Ｄの前側が高くなるように前記ノズル本体２が傾斜したとしても、前記吸込口１７から絨毯Ｃ等までの距離が適正に保たれるので、前記突起群４によって梳き出された毛髪等を効率的に回収することができるものである。
【００２６】
また、本発明は、前記突起群４を、前記吸込口１７に沿って並んだ短突起２６から成る近突起列２２，２３と、この近突起列２２，２３を挟んで前記吸込口１７の反対側に並んだ長突起２７から成る遠突起列２４，２５とで構成すると共に、前記近突起列２２，２３を、前記凸曲面部１５に設けることで、進行方向Ｄの前側が高くなるように、前記ノズル本体２が傾斜しても、前記近突起列２２と遠突起列２４の両方が絨毯Ｃ等の毛並みに入り込んで、毛髪等を梳き出す作用を奏することができるものである。
【００２７】
更に、本発明は、前記突起群４を構成する各突起２６，２７を、それらの軸線Ｘａ〜Ｘｄの基端側よりも先端側が前記吸込口１７から離れるように傾斜させたことで、進行方向Ｄの前側が高くなるように、前記ノズル本体２が傾斜したとしても、前記突起群４が絨毯Ｃ等から受ける抵抗が小さくなり、軽い操作力で絨毯Ｃ等から毛髪等を梳き出すことができるものである。
【００２８】
次に、本発明の第二の実施形態について、図６乃至図９に基づいて説明する。３１は本発明の電気掃除機用ノズルであり、図示しない掃除機本体に接続される。前記ノズル３１は、ノズル本体３２と、接続管部３と、突起群３４とで構成される。前記ノズル本体３２は、平面視で横長の方形状である。そして、このノズル本体３２は、上本体５と、下本体３６と、基部３７とを有して構成される。そして、前記上本体５と接続管部３は、一体に形成される。また、前記基部３７は、前記突起群３４と一体に形成され、これらによって突起部材３８が構成される。更に、前記下本体３６と突起部材３８は、インサート成型によって一体的に形成される。そして、前記下本体３６は、その底面部３９の中央部に、下方に凸となる凸部４０を有する。また、この凸部４０は、その下端部４１に横長の吸込口４２を有する。更に、前記吸込口４２の中央には、連通口４３が設けられる。そして、前記基部３７は、その底面部４４の前半部に、下方に凸となる凸曲面部４５を有する。一方、前記基部３７は、その底面部４４の後半部に、下端面が平面状となる突出部４６を有する。そして、前記凸曲面部４５と突出部４６は、それらの下端面が連続するように形成される。このように、前記凸曲面部４５と突出部４６によって、突部４７が形成される。そして、この突部４７は、その下端部４８に、前記吸込口４２に対応して吸込口４９を有する。なお、前記凸曲面部４５は、側面視でほぼ円弧状となるように突出する。
【００２９】
前記突起群３４は、前記ノズル本体３２を構成する前記基部３７の底面部４４から下方に突出して設けられる。そして、前記突起群３４は、近突起列５２と遠突起列５４とから構成される。前記近突起列５２は、前記吸込口４９に沿って短突起５６を並べることで構成される。また、前記近突起列５２は、前記吸込口４９の前側に設けられる。そして、前記近突起列５２は、前記基部３７の凸曲面部４５に設けられる。更に、前記近突起列５２を構成する短突起５６は、その中心軸線Ｘｅの先端側が基端側よりも前方となるように、傾斜して設けられる。即ち、何れの短突起５６も、それらの中心軸線Ｘｅの先端側が基端側よりも前記吸込口４２，４９から離れるように、傾斜して設けられる。一方、前記遠突起列５４は、前記近突起列５２を挟んで前記吸込口４２，４９の反対側に、長突起５７を並べることで構成される。また、前記遠突起列５４は、前記近突起列５２の前側に設けられる。そして、前記遠突起列５４は、前記基部３７の底面部４４における前記凸曲面部４５と平坦な外周部５８との境界部に設けられる。更に、前記遠突起列５４を構成する長突起５７は、その中心軸線Ｘｆの先端側が基端側よりも前方となるように傾斜して設けられる。即ち、何れの長突起５７も、それらの中心軸線Ｘｆの先端側が基端側よりも前記吸込口４２，４９から離れるように、傾斜して設けられる。なお、前記各短突起５６の中心軸線Ｘｅの傾斜角度は、前記各長突起５７の中心軸線Ｘｆの傾斜角度よりも小さい。更に、前記各長突起５７の先端は、前記各短突起５６の先端と同じか、又は前記各短突起５６の先端よりもやや下方となる。
【００３０】
次に、本実施形態の作用について説明する。なお、本実施形態でも、毛髪等とは、人の体毛ばかりでなく、ペットの体毛も含む。まず、使用者は、前記接続管部３の接続管１９を、図示しない前記掃除機本体に接続した後、この掃除機本体を作動させる。そして、使用者は、前記接続管部３を把持し、前記ノズル本体３２の後方が高く、前方が低くなるように前記ノズル３１を傾斜させて、前記近突起列５２及び遠突起列５４を絨毯Ｃ等に押し当てた後、この絨毯Ｃ等に沿って前記ノズル３１を進行方向Ｄに移動させる。なお、本実施形態の場合、進行方向Ｄは必ず後方向となる。即ち、この場合、前記近突起列５２及び遠突起列５４は、進行方向Ｄを基準として、前記吸込口４２，４９の後側となる。そして、この際、前記遠突起列５４を構成する長突起５７が、前記近突起列５２を構成する短突起５６よりも強く絨毯Ｃ等に押し付けられるので、前記長突起５７は、進行方向Ｄに対して遅れる方向に大きく変形する。一方、前記短突起５６は、進行方向Ｄに対して遅れる方向に小さく変形する。このように、大きく変形した長突起５７と、小さく変形した短突起５６とで、絨毯Ｃ等の毛並みに潜んだ毛髪等が、前記各突起５６，５７の進行方向Ｄの前側、即ち前記吸込口４２，４９側に梳き出される。そして、前記各突起５６，５７によって梳き出された毛髪等は、前記基部３７と絨毯Ｃ等の間を通った気流に乗り、前記各突起５６，５７の進行方向Ｄの前側に位置する前記吸込口４２，４９から、前記連通口４３及び接続管部３を経由して、図示しない前記掃除機本体に吸引される。
【００３１】
この作用について詳述する。本実施形態は、前述した通り、前記吸込口４９が、前記ノズル本体３２を構成する基部３７の凸曲面部４５の下端部４８に設けられるので、前記吸込口４９から絨毯Ｃ等までの距離を比較的小さくすることができる。特に、前記凸曲面部４５が、側面視で円弧状となるように構成されるので、図９に示すように前記ノズル本体３２を傾斜させた場合でも、前記吸込口４９の後部がやや高くなるものの、前記吸込口４９の前端から中央部にかけての広い範囲で、前記吸込口４９から絨毯Ｃ等までの距離をほぼ均等に比較的小さくすることができる。これによって、前記基部３７と絨毯Ｃ等との間を通過する気流の流速が低下しないようにすることができるので、梳き出された毛髪等を前記吸込口４９から前記吸込口４２を経由して確実に吸引することができる。このため、前記ノズル３１を比較的出力の小さな掃除機本体に接続したとしても、梳き出された毛髪等を効率的に回収することができる。また、前述したように、前記凸曲面部４５が、側面視で円弧状となるように構成されるので、前記ノズル３１を引く際に、その傾斜角度が変動しても、前記吸込口４９から絨毯Ｃ等までの距離の変動が少ないので、この距離を適正に保つことができる。また、前記短突起５６の先端が、比較的下方に位置するので、前記短突起５６と長突起５７の両方で、絨毯Ｃ等に潜んだ毛髪等を梳き出すことができる。この際、前記長突起５７が大きく撓み、前記短突起５６が小さく撓むことで、これら長突起５７と短突起５６の角度を違わせることができるので、より効果的に絨毯Ｃ等から毛髪等を梳き出すことができる。更に、前記近突起列５２を構成する短突起５６と、前記遠突起列５４を構成する長突起５７が、進行方向Ｄに対して遅れる方向に傾斜するので、前記突起群３４が絨毯Ｃ等から受ける抵抗を小さくすることができる。これによって、軽い操作力で、絨毯Ｃ等に潜んだ毛髪等を梳き出すことができる。
【００３２】
なお、本実施形態は、前記接続管部３を握る際、使用者の指Ｆ（人差し指又は親指）の指腹を、前記屈曲部２０の凸側に設けられた平面状の前記指当て部２１に押し当てることで、前記指当て部２１に押し当てた指Ｆに安定して力を加えやすい。この結果、絨毯Ｃ等に沿って進行方向Ｄに引くように前記ノズル３１を動かす際に、容易に前記ノズル３１を引くことができる。また、前記指当て部２１が前記ノズル本体２の直上に設けられることで、前記指当て部２１に加えた力を安定して効率的に前記各突起５６，５７に伝えることができる。この結果、軽い力で前記突起群３４を絨毯Ｃ等に安定して押し当てることができるので、より容易に前記ノズル３１を引くことができる。なお、前記指当て部２１が前記屈曲部２０の凸側、即ち前側に設けられることで、図９に示すように前記ノズル本体３２を傾斜させた場合、絨毯Ｃ等と接する前記各突起列５２，５４と前記指当て部２１との進行方向Ｄのズレが小さくなるので、より効率的に前記指当て部２１に加えた力を前記各突起列５２，５４に伝えることができる。更に、前記基管１８をごく短く形成したことで、前記指当て部２１と突起群３４との距離を短くできるので、この突起群３４をより安定して絨毯Ｃ等に押し当て、引くことができる。
【００３３】
以上のように、本発明は、底面部４４に吸込口４９を有するノズル本体３２と、前記吸込口４９と連通する接続管部３と、前記ノズル本体３２の底面部４４から下方に突出する複数の突起５６，５７からなる突起群３４とを有する電気掃除機用ノズル３１において、前記ノズル本体３２を構成する基部３７の底面部４４に、下方に凸となる凸曲面部４５を設けると共に、この凸曲面部４５の下端部４８に前記吸込口４９を設けたことで、前記ノズル３１を絨毯Ｃ等に沿って動かした際に、進行方向Ｄの前側が高くなるように前記ノズル本体３２が傾斜したとしても、前記吸込口４９から絨毯Ｃ等までの距離が適正に保たれるので、前記突起群３４によって梳き出された毛髪等を効率的に回収することができるものである。
【００３４】
また、本発明は、前記突起群３４を、前記吸込口４９に沿って並んだ短突起５６から成る近突起列２２と、この近突起列２２を挟んで前記吸込口４９の反対側に並んだ長突起５７から成る遠突起列５４とで構成すると共に、前記近突起列２２を、前記凸曲面部４５に設けることで、進行方向Ｄの前側が高くなるように、前記ノズル本体３２が傾斜しても、前記近突起列５２と遠突起列５４の両方が絨毯Ｃ等の毛並みに入り込んで、毛髪等を梳き出す作用を奏することができるものである。
【００３５】
更に、本発明は、前記突起群３４を構成する各突起５６，５７を、それらの軸線Ｘｅ，Ｘｆの基端側よりも先端側が前記吸込口４９から離れるように傾斜させたことで、進行方向Ｄの前側が高くなるように、前記ノズル本体３２が傾斜したとしても、前記突起群３４が絨毯Ｃ等から受ける抵抗が小さくなり、軽い操作力で絨毯Ｃ等から毛髪等を梳き出すことができるものである。
【００３６】
なお、本発明は以上の実施形態に限定されるものではなく、発明の要旨の範囲内で種々の変形実施が可能である。例えば、上記実施形態では、長突起を凸曲面部と平坦部の境界位置に設けたが、長突起を凸曲面部に設けるようにしても良い。また、上記実施形態では、ノズル本体の底面部の中央部に凸曲面部を設けたが、ノズル本体の底面部全体を凸曲面部としても良い。
【符号の説明】
【００３７】
１，３１  電気掃除機用ノズル
２，３２  ノズル本体
３  接続管部
４，３４  突起群
１４，４４  底面部
１５，４５  凸曲面部
１６，４８  下端部
１７，４９  吸込口
２２，２３，５２  近突起列
２４，２５，５４  遠突起列
２６，５６  短突起
２７，５７  長突起
Ｘａ，Ｘｂ，Ｘｃ，Ｘｄ，Ｘｅ，Ｘｆ  中心軸線
【図１】
2012152300.tif 000003
【図２】
2012152300.tif 000004
【図３】
2012152300.tif 000005
【図４】
2012152300.tif 000006
【図５】
2012152300.tif 000007
【図６】
2012152300.tif 000008
【図７】
2012152300.tif 000009
【図８】
2012152300.tif 000010
【図９】
2012152300.tif 000011
【図１０】
2012152300.tif 000012
【図１１】
2012152300.tif 000013